(57)【要約】      （修正有）【課題】プリザーブドフラワーにより複数の文字を構成する場合に、文字を鑑賞し易く、かつ輸送に適したフラワーアレンジメントを提供する。【解決手段】上蓋２および下蓋４を有する直方体の筐体１と、複数の第１の花５と、複数の第２の花６とならびに第１および第２の花５、６を固定するための接着剤とを備えるフラワーアレンジメントであって、上蓋２は段差を内側に備え、下蓋４は平坦面を有するスポンジを内側に配置し、第１の花５はスポンジの平坦面に配置されて文字を形成するプリザーブドフラワーであり、第２の花６は第１の花５の周囲に配置されて背景を形成する造花またはプリザーブドフラワーである、フラワーアレンジメントであることを特徴とする。【選択図】図１
0003217089.tif 000002
【実用新案登録請求の範囲】
【請求項１】
上蓋および下蓋を有する直方体の筐体と、複数の第１の花と、複数の第２の花とならびに前記第１および第２の花を固定するための接着剤とを備えるフラワーアレンジメントであって、前記上蓋は段差を内側に備え、前記下蓋は平坦面を有するスポンジを内側に配置し、前記第１の花は前記スポンジの前記平坦面に配置されて文字を形成するプリザーブドフラワーであり、前記第２の花は前記第１の花の周囲に配置されて背景を形成する造花またはプリザーブドフラワーである、フラワーアレンジメント。
【請求項２】
前記上蓋の前記段差が前記下蓋と接している、請求項１に記載のフラワーアレンジメント。
【請求項３】
前記第２の花が造花である、請求項１または２に記載のフラワーアレンジメント。
【請求項４】
前記第１の花のプリザーブドフラワーが薔薇から作製される、請求項１〜３のいずれか一項に記載のフラワーアレンジメント。
【請求項５】
前記筐体の幅が３００ｍｍ〜４００ｍｍ、奥行が１００ｍｍ〜３００ｍｍ、高さが７０〜９０ｍｍである、請求項１〜４のいずれか一項に記載のフラワーアレンジメント。
【請求項６】
前記段差が１ｍｍ〜１０ｍｍである、請求項１〜５のいずれか一項に記載のフラワーアレンジメント。
【考案の詳細な説明】
【技術分野】
【０００１】
本考案は、フラワーアレンジメントに関するものである。
【背景技術】
【０００２】
我が国におけるフラワーアレンジメントの歴史は古く、明治初期の生活様式の変化とともに、コサージ、ブーケなどの花の造形が取り入れられた。１９９０年代にはプリザーブドフラワーが海外で量産され、我が国においてもフラワーアレンジメントに使用される資材の１つとして普及した。近年では、結婚式や記念日などに贈呈されるプレゼントの一つとして広く親しまれている。
【０００３】
従来、プリザーブドフラワーを用いたフラワーアレンジメントには、複数の資材をクリップなどで纏めたものをワイヤーで連結させ、ハートやモチーフなど特定の形状になるよう形成した花束が存在する。
【先行技術文献】
【特許文献】
【０００４】
【実用新案文献１】
【０００５】
実用新案登録第３２１３８２２号
【考案の概要】
【考案が解決しようとする課題】
【０００６】
しかし、花束状に形成したフラワーアレンジメントでは形成され得る特定の形状に限界がある。例えば、プリザーブドフラワーにより複数の文字からなるメッセージを作成する場合、花束という形態では構成可能な文字数に極端な制限がかかる。また、観賞時に文字を判読できる角度が狭いため、プレゼントを受け取る者の感動が薄れてしまう。さらに、輸送中に他の荷物などによって花束が変形してしまうと、文字が判読できない可能性がある。よって、解決しようとする課題は、プリザーブドフラワーにより複数の文字を構成する場合に、文字を鑑賞し易く、かつ輸送に適したフラワーアレンジメントを提供することである。
【課題を解決するための手段】
【０００７】
本考案は、上蓋および下蓋を有する直方体の筐体と、複数の第１の花と、複数の第２の花とならびに前記第１および第２の花を固定するための接着剤とを備えるフラワーアレンジメントであって、前記上蓋は段差を内側に備え、前記下蓋は平坦面を有するスポンジを内側に配置し、前記第１の花は前記スポンジの前記平坦面に配置されて文字を形成するプリザーブドフラワーであり、前記第２の花は前記第１の花の周囲に配置されて背景を形成する造花またはプリザーブドフラワーである、フラワーアレンジメント、であることを特徴とする。
【考案の効果】
【０００８】
本考案を用いることにより、スポンジの平坦面に文字が形成されるため文字の判読が容易である。また、筐体が直方体であるため文字数の多いメッセージを作成することができる。また、フラワーアレンジメントの輸送時に、第１および第２の花は筐体により保護されるため、他の荷物により文字が変形する恐れもない。また、上蓋の内側には段差が設けられているため、花が上蓋により圧壊することを防いでいる。
【図面の簡単な説明】
【０００９】
【図１】図１は本考案のフラワーアレンジメントの斜視図である。
【図２】図２は本考案のフラワーアレンジメントの筐体の断面図である。
【図３】図３は本考案のフラワーアレンジメントの上面図である。
【図４】図４は本考案のフラワーアレンジメントの正面図である。
【図５】図５は本考案のフラワーアレンジメントの模式図である。
【考案を実施するための形態】
【００１０】
図１ないし５に示すように、フラワーアレンジメントは、上蓋（２）およびスポンジ（７）を備える下蓋（４）を有する直方体の筐体（１）と、複数の第１の花（５）と、複数の第２の花（６）とならびに第１および第２の花を固定するための接着剤とを備える。第１の花（５）は文字を構成するプリザーブドフラワーであり、第２の花（６）は背景を構成するプリザーブドフラワーまたは造花である。
【実施例】
【００１１】
まず、筐体（１）について説明する。筐体（１）の上蓋（２）および下蓋（４）の材料は紙器用の板紙である。板紙の種類は特に限定されないが、白板紙、マニラボール、白ボール、黄板紙、チップボール、色板紙などを用いることができる。板紙の表面には、印刷が施されていてもよい。
【００１２】
図２に示すように、上蓋（２）の内側には１ｍｍ〜１０ｍｍ、好ましくは約３ｍｍの段差（３）があり、上蓋（２）と下蓋（４）の合体時に下蓋における上蓋と近接する４つの辺は、上蓋（２）の底面（天井部分）ではなく、この段差部分と接している。つまり、段差（３）と下蓋（４）とが接触することにより上蓋（２）が支持される。そのため、上蓋（２）の底面（天井部分）と下蓋（４）の上面との間には空間が形成される。これにより、花が下蓋の領域から突出していても上蓋により圧壊されることがない。
【００１３】
筐体１のサイズは文字数によって適宜設計されるが、輸送に適した大きさが好ましい。例えば、幅が３５０ｍｍ〜４５０ｍｍ、奥行が１００ｍｍ〜３００ｍｍ、上蓋（２）と下蓋（４）の合体時の筐体（１）の高さが７０〜９０ｍｍ程度である。特に限定されないが、文字数が５文字用または１０文字用の筐体（１）のサイズを以下に示す。
【００１４】
（i）５文字用（幅×奥行×高さ）
上蓋
外径    ４０７ｍｍ×１３９ｍｍ×６２ｍｍ
内径    ４０３ｍｍ×１３５ｍｍ×５８ｍｍ
下蓋
外径    ４０２ｍｍ×１３４ｍｍ×５１ｍｍ
内径    ４００ｍｍ×１３０ｍｍ×４９ｍｍ
上蓋と下蓋の合体時の筐体の高さ  ８０ｍｍ
【００１５】
（ii）１０文字用（幅×奥行×高さ）
上蓋
外径    ４０７ｍｍ×２７８ｍｍ×６２ｍｍ
内径    ４０３ｍｍ×２７０ｍｍ×５８ｍｍ
下蓋
外径    ４０２ｍｍ×２６８ｍｍ×５１ｍｍ
内径    ４００ｍｍ×２６０ｍｍ×４９ｍｍ
上蓋と下蓋の合体時の筐体の高さ  ８０ｍｍ
【００１６】
プリザーブドフラワーについて説明する。まず、文字を構成するプリザーブドフラワーは、１０ｍｍ〜３０ｍｍ、好ましくは約２５ｍｍの生花を加工して作製することができる。特に限定されないが、薔薇のプリザーブドフラワーについて一般的な作製手順を以下に示す。
【００１７】
プリザーブドフラワーは、薔薇を脱水・脱色する工程と、着色する工程と、乾燥する工程により製造することができる。脱水・脱色工程では、メタノール、エタノール、プロパノールなどの低級アルコールを含有する脱水・脱色液が使用される。着色工程で脱色した薔薇を浸漬し、組織液と置換する工程では、グリセリン、水、着色液を含有する着色液が使用される。脱水・脱色工程と着色工程を一度に行うことができる加工液を使用してもよい。着色工程後は、乾燥剤の入った容器に薔薇を入れて乾燥させる。
【００１８】
完成したプリザーブドフラワーは、レッド、マドレーヌピンク、マリンブルー、ライラック、ピンクネクターなどの色を有する。
【００１９】
背景用のプリザーブドフラワーについても文字を構成するプリザーブドフラワーと同様の手法により作製される。花の種類は薔薇に限定されない。背景色を構成するものであるため、白色系の花を大小織り交ぜて用意することが好ましい。また、背景用の花については、白色系の造花を用いてもよい。
【００２０】
花を配置するスポンジ（７）は、平坦面を有するフラワーアレンジメント用のスポンジである。特に限定されないが、オアシス（登録商標）などを用いてもよい。接着剤は、ドライフラワー、プリザーブドフラワーまたは造花を取り付けるために通常用いられる接着剤またはグルーを用いる。スポンジの幅および奥行は、下箱の内径に併せて調整する。スポンジの高さは、２０ｍｍ〜４０ｍｍ、好ましくは約３０ｍｍである。
【００２１】
フラワーアレンジメントの作製例を説明する。まず、土台となるスポンジを下蓋（４）の内径サイズに合わせて切り、下蓋（４）に嵌め込む。次に、プリザーブドフラワーを土台に刺して大まかな文字の形に仮留めする。次に、薔薇の向きを考慮して文字のバランスを調整し、文字が完成したらプリザーブドフラワーに専用ボンドを付けて配置する。
【００２２】
このとき、文字用の薔薇の周囲に背景用のプリザーブドフラワーまたは造花を文字の薔薇の高さと等しくになるように配置していく。薔薇によって高さが異なるため、下蓋（４）の縁の高さよりも高く、かつ上蓋（２）の段差部分（３）よりも下になるように留める。花が潰れずにかつ文字が見易くなるように高さを調整する。
【００２３】
完成したフラワーアレンジメントは、結婚式、入学式、卒業式、母の日、父の日、退職、結婚記念日、お葬式、出産祝いなどのプレゼントとして利用することができる。
【符号の説明】
【００２４】
１    筐体
２    上蓋
３    段差
４    下蓋
５    第１の花
６    第２の花
７    スポンジ
【図１】
0003217089.tif 000003
【図２】
0003217089.tif 000004
【図３】
0003217089.tif 000005
【図４】
0003217089.tif 000006
【図５】
0003217089.tif 000007